(57)【要約】第１のユーザ端末（２１）と少なくとも第２のユーザ端末（２２）との間のコネクションが第１のネットワーク（１５）に存在するとき、第１のユーザ端末（２１）から第２のユーザ端末（２２）へ、第２のネットワーク（１６）で接続を設定するための方法およびネットワーク装置。第２のネットワーク（１６）の接続は、第２のネットワーク（１６）の複合サービスを識別するためのコンテキストに依存した第２のネットワークアドレスを使用して開始される。複合サービスは、第１のネットワーク（１５）と第２のネットワーク（１６）の共通部（１７）を使用した第２の端末（２２）の第２のネットワークアドレスの読み出し工程と、第２の端末（２２）の第２のネットワークアドレスを使用した第２の接続の設定完了工程とを備える。
2009518941.tif 000002
【特許請求の範囲】
【請求項１】
第１のネットワーク（１５）において第１のユーザ端末（２１）と少なくとも第２のユーザ端末（２２）との間にコネクションが確立されている際に、第２のネットワーク（１６）において該第１のユーザ端末（２１）から該第２のユーザ端末（２２）へ第２のコネクションを設定する方法であって、
前記第２のネットワークの複合サービスを識別するためのコンテキスト依存型の第２のネットワークアドレスを使用して、該第２のネットワークでの前記第２のコネクションを開始する工程と、
前記第２のユーザ端末（２２）の第２のネットワークアドレスを使用して前記第２のネットワークでの前記第２のコネクションの設定を完了する工程と
を備え、
前記複合サービスは、前記第１のネットワーク（１５）と前記第２のネットワーク（１６）との共通部（１７）を使用して前記第２のユーザ端末（２２）の第２のネットワークアドレスを抽出する機能を備えたサービスであることを特徴とする方法。
【請求項２】
前記複合サービスは、
前記第１のユーザ端末（２１）の前記第２のネットワークアドレスを抽出し、
前記第１のネットワーク（１５）と前記第２のネットワーク（１６）との前記共通部（１７）から前記第１のユーザ端末（２２）の第１のネットワークアドレスを抽出し、
前記第１のネットワーク（１５）における前記コネクションへの参照情報を使用して該第１のネットワークから前記第２のユーザ端末（２２）の第１のネットワークアドレスを抽出する
ことを特徴とする請求項１に記載の方法。
【請求項３】
前記第１のユーザ端末（２１）は、前記第１のネットワークにおいて単一のコネクションにのみ関与しており、
前記第１のネットワーク（１５）における前記コネクションへの前記参照情報は、前記第１のユーザ端末（２２）の前記第１のネットワークアドレスを含んでいる
ことを特徴とする請求項２に記載の方法。
【請求項４】
前記第１のユーザ端末（２１）は、前記第１のネットワークにおいて１つ以上のコネクションに関与しており、
前記第１のネットワーク（１５）における前記コネクションへの前記参照情報は、前記第１のネットワーク（１５）において前記第１のユーザ端末（２１）と前記第２のユーザ端末（２２）との間に確立されている前記コネクションを識別するための呼参照番号を含んでいる
ことを特徴とする請求項２に記載の方法。
【請求項５】
前記第１のユーザ端末（２１）は、前記第１のネットワークにおいて１つ以上のコネクションに関与しており、
前記第２のネットワーク（１６）における前記コネクションの設定を要求するリクエストと、前記第１のネットワーク（１５）における前記コネクションに関連付けられた第１のネットワークメッセージとを相関させることで、前記第１のネットワーク（１５）における前記コネクションへの前記参照情報が取得される
ことを特徴とする請求項２に記載の方法。
【請求項６】
前記第２のユーザ端末（２２）に割り当てられている前記第１のネットワークアドレスと前記第２のネットワークアドレスとは、前記第１のユーザ端末へ向かうコネクション内で隠蔽されている
ことを特徴とする請求項１ないし５のいずれか１項に記載の方法。
【請求項７】
前記第１のネットワークは回線交換型のネットワークであり、前記第２のネットワークはパケット交換型のネットワークであることを特徴とする請求項１ないし６のいずれか１項に記載の方法。
【請求項８】
前記第１のネットワークはパケット交換型のネットワークであり、前記第２のネットワークは回線交換型のネットワークであることを特徴とする請求項１ないし６のいずれか１項に記載の方法。
【請求項９】
第１のネットワーク（１５）において第１のユーザ端末（２１）と少なくとも第２のユーザ端末（２２）との間にコネクションが確立されている際に、第２のネットワーク（１６）において該第１のユーザ端末（２１）から該第２のユーザ端末（２２）へ第２のコネクションを設定するように構成されたネットワーク装置であって、
前記ネットワーク装置は、前記第１のネットワーク（１５）と前記第２のネットワーク（１６）との共通部（１７）へ接続可能であり、
前記ネットワーク装置は、前記第１のユーザ端末（２１）からコンテキスト依存型の第２のネットワークアドレスを受信すると、前記第２のネットワークでの前記第２のコネクションを開始するように構成されており、
前記コンテキスト依存型の第２のネットワークアドレスは、複合サービスを識別できるアドレスであり、
前記複合サービスは、前記共通部（１７）を使用して前記第２のユーザ端末（２２）の第２のネットワークアドレスを抽出し、該第２のユーザ端末（２２）の該第２のネットワークアドレスを使用して前記第２のネットワークでの前記第２のコネクションの設定を完了するサービスであることを特徴とするネットワーク装置。
【請求項１０】
前記ネットワーク装置は、
前記第１のユーザ端末（２１）の前記第２のネットワークアドレスを抽出し、
前記共通部（１７）に検索の問い合せをすることで前記第１のユーザ端末（２２）の第１のネットワークアドレスを抽出し、
前記第１のネットワーク（１５）における前記コネクションへの参照情報を使用して該第１のネットワークから前記第２のユーザ端末（２２）の第１のネットワークアドレスを抽出する
ように構成されていることを特徴とする請求項９に記載のネットワーク装置。
【請求項１１】
前記第１のユーザ端末（２１）は、前記第１のネットワークにおいて単一のコネクションにのみ関与しており、
前記第１のネットワーク（１５）における前記コネクションへの前記参照情報は、前記第１のユーザ端末（２２）の前記第１のネットワークアドレスを含んでいる
ことを特徴とする請求項１０に記載のネットワーク装置。
【請求項１２】
前記第１のユーザ端末（２１）は、前記第１のネットワークにおいて１つ以上のコネクションに関与しており、
前記第１のネットワーク（１５）における前記コネクションへの前記参照情報は、前記第１のネットワーク（１５）において前記第１のユーザ端末（２１）と前記第２のユーザ端末（２２）との間に確立されている前記コネクションを識別するための呼参照番号を含んでいる
ことを特徴とする請求項１０に記載のネットワーク装置。
【請求項１３】
前記第１のユーザ端末（２１）は、前記第１のネットワークにおいて１つ以上のコネクションに関与しており、
前記第２のネットワーク（１６）における前記コネクションの設定を要求するリクエストと、前記第１のネットワーク（１５）における前記コネクションに関連付けられた第１のネットワークメッセージとを相関させることで、前記第１のネットワーク（１５）における前記コネクションへの前記参照情報が取得される
ことを特徴とする請求項１０に記載のネットワーク装置。
【請求項１４】
前記ネットワーク装置は、
前記第２のユーザ端末（２２）に割り当てられている前記第１のネットワークアドレスと前記第２のネットワークアドレスとを、前記第１のユーザ端末へ向かうコネクション内で隠蔽するように構成されている
ことを特徴とする請求項９ないし１３のいずれか１項に記載のネットワーク装置。
【請求項１５】
前記ネットワーク装置は、パケット型のネットワークの一部である
ことを特徴とする請求項９ないし１４のいずれか１項に記載のネットワーク装置。
【請求項１６】
前記ネットワーク装置は、回線交換型のネットワークの一部である
ことを特徴とする請求項９ないし１４のいずれか１項に記載のネットワーク装置。
【請求項１７】
第１のネットワーク（１５）において第１のユーザ端末（２１）と少なくとも第２のユーザ端末（２２）との間に確立されているコネクションに関する情報を記憶するように構成され、該第１のネットワーク（１５）及び第２のネットワーク（１６）からアクセス可能な共通部装置であって、
前記共通部装置は、
リクエストを受信すると、前記第２のネットワークにおいて前記第１のユーザ端末（２１）と前記第２のユーザ端末（２２）との間に第２のコネクションを設定することを可能ならしめるために、前記第２のユーザ端末に割り当てられている第２のネットワークアドレスを供給するように構成されている
ことを特徴とする共通部装置。
【請求項１８】
前記共通部装置は、前記第２のネットワークにおいて前記第２のコネクションを設定することを要求するためのリクエストと、前記第１のネットワークにおいて確立されている前記コネクションに関連透けられている第１のネットワークメッセージとを相関させるように構成されている
ことを特徴とする請求項１７に記載の共通部装置。
【請求項１９】
第１のネットワーク（１５）と第２のネットワーク（１６）とを備える通信システムであって、
請求項９ないし１６のいずれか１項に記載されたネットワーク装置をさらに備え、該ネットワーク装置によって前記第２のネットワークにおける２つのユーザ端末間でコネクションを設定することを特徴とする通信システム。
【請求項２０】
請求項１７または１８に記載の共通部装置（１７）をさらに備えることを特徴とする請求項１９に記載の通信装置。
【請求項２１】
コンピュータプログラムであって、プロセッサとメモリとを備えたネットワーク装置にロードされると、請求項１ないし８のいずれか１項に記載された方法を該ネットワーク装置に実行させることを特徴とするコンピュータプログラム。
【発明の詳細な説明】
【技術分野】
【０００１】
本発明は、第１のユーザ端末と少なくとも第２のユーザ端末との間の接続（コネクション）が第１のネットワークに存在するとき、第１の（起呼）ユーザ端末から第２のユーザ端末へ、第２のネットワークで接続を設定する方法に関する。また別の態様では、本発明は、第１のユーザ端末と少なくとも第２のユーザ端末との間の接続が第１のネットワークに存在するとき、第１のユーザ端末から第２のユーザ端末へ、第２のネットワークで接続を設定するように構成されたネットワーク装置に関する。
【背景技術】
【０００２】
現在の移動通信ネットワークでは、別のユーザと音声通話をしているユーザが、異なる種類の接続を設定することが可能である。
【０００３】
例えば、ユーザは、回線交換（ＣＳ）通話の継続中に、パケット交換（ＰＳ）ネットワークでセッション開始プロトコル（ＳＩＰ）タイプの接続を設定し得る。このためには、ユーザは、他の種類のネットワークにおける通信相手のダイレクト（直通）アドレス、この事例ではＳＩＰ−ＵＲＩ（ＳＩＰ  Ｕｎｉｆｏｒｍ  Ｒｅｓｏｕｒｃｅ  Ｉｄｅｎｔｉｆｉｅｒ）を知らなければならない。（発呼）ユーザが被呼者のＳＩＰ−ＵＲＩを（例えば、電話機が備えるコンタクトリスト（住所録）に）格納している場合、このＳＩＰ−ＵＲＩを、ＳＩＰセッションの設定のために直接使用してもよい。（発呼）ユーザがＳＩＰ−ＵＲＩを知らない場合、ＣＳ呼設定で使用したＭＳＩＤＮ（Ｍｏｂｉｌｅ  Ｓｔａｔｉｏｎ  ＩＳＤＮ  Ｎｕｍｂｅｒ）をｔｅｌ  ＵＲＩの形成のために使用してもよい。これはインダイレクト（間接）アドレスの例である。ＳＩＰセッションは、ｔｅｌ  ＵＲＩの間接アドレスを使用して第２のネットワークに設定されてもよい。（被呼）ユーザがＳＩＰ−ＵＲＩを知らない場合、ＣＳシグナリングで配信された発信者回線番号（ＣＬＩ、Calling Line Identity）を、上記のｔｅｌ  ＵＲＩの形成のために使用してもよい。
【０００４】
（被呼）ユーザが通信相手のＭＳＩＳＤＮを知らないとき（例えば、発信者回線番号通知制限ＣＬＩＲ(Calling Line Identity Restriction)のため）、ユーザは、ＭＳＩＳＤＮに基づくＳＩＰ−ＵＲＩ（間接アドレス）または本当のＳＩＰ−ＵＲＩ（直接アドレス）を作成するために、上記の方法のどれも使用できない。（発呼）ユーザは呼設定中に使用したＭＳＩＳＤＮを知っているが、呼が宛先変更され、（例えば、接続先回線番号通知制限ＣＯＬＲ(Connected Line Restriction)のために）接続先番号を受信できないとき、ユーザは、ＭＳＩＳＤＮに基づきＳＩＰ−ＵＲＩを作成する上記の方法のどれも使用できない。その結果、このユーザは、第２のネットワークで接続を設定できない。
【０００５】
上記の例は、第１のネットワークがＣＳネットワークにあり、第２のネットワークがＰＳネットワークであり、第１のネットワークにおいて接続が確立されているケースである。しかし、同じ問題は、接続がＰＳネットワーク（今度は第１のネットワークに相当）に存在し、例えば２人のユーザがユーザのニックネームだけが通知されるチャットセッションを行っているときも、起こり得る。この場合、どのユーザも第２のネットワークで接続を設定できない。例えばＣＳネットワークで音声通話を設定できない。これは、第２のネットワーク（ＣＳネットワーク）の直接アドレス（ＭＳＩＳＤＮ）を知らないからである。
【発明の開示】
【発明が解決しようとする課題】
【０００６】
本発明は、被呼者の直接アドレスも間接アドレスも知らず、またはこれらを入手できないときでさえも含むあらゆる状況で使用し得る、第２のネットワークで接続を設定する方法の提供に努める。
【課題を解決するための手段】
【０００７】
本発明によれば、上記プリアンブルとして記載した方法が提供される。本方法は、コンテキスト依存の第２のネットワークアドレスを使用して、第２のネットワークでの接続を開始する工程と、コンテキスト依存の第２のネットワークアドレスによって第２のネットワークの複合サービスを識別する工程と、複合サービスが備える第１のネットワークと第２のネットワークの共通部を使用して第２の端末に割り当てられている第２のネットワークアドレスを読み出す工程と、第２の端末に割り当てられている第２のネットワークアドレスを使用して第２の接続の設定を完了する工程とを備える。コンテキスト依存の第２のネットワークアドレスは、第２のネットワークの複合サービスを識別し、第２の端末の直接アドレスでもないし間接アドレスでもない。第１のネットワークと第２のネットワークの共通部は、第１のネットワークでの接続に関連して第１のネットワークで使用された情報（しかし、１つ以上のユーザ端末に常に知られていたり見えたりしているわけではない）の、第２のネットワークとの共有を可能にする。例えば、ＣＳ呼がＣＳネットワークの２つのユーザ端末間に存在するとき、コンテキスト依存の第２のネットワークアドレスは、第２のネットワークにおいてＳＩＰ  ＩＮＶＩＴＥメッセージの一部として使用されてもよい。これは、第２のネットワークの複合サービスにトリガを与え、第２のネットワークで接続を設定するために必要なアドレスの読み出しを開始させる。
【０００８】
別の実施形態では、複合サービスは、
−第１のユーザ端末に割り当てられている第２のネットワークアドレスを読み出す工程（例えば、ユーザ端末のＩＰアドレスは、第２のネットワークの接続を開始するために使用されるＳＩＰ  ＩＮＶＩＴＥメッセージから読み出してもよい）と、
−第１のネットワークと第２のネットワークの共通部から、第１のユーザ端末に割り当てられている第１のネットワークアドレスを読み出す工程（例えば、第１のユーザ端末のＭＳＩＳＤＮは、例えばホームロケーションレジスタから読み出してもよい）と、
−第１のネットワークでの接続の参照を使用して、第１のネットワークから第２のユーザ端末に割り当てられている第１のネットワークアドレスを読み出す工程と
をさらに備える。例えば、第１のユーザ端末に割り当てられているＭＳＩＳＤＮは、第１のネットワークで呼接続を継続中の第２のユーザ端末に割り当てられているＭＳＩＳＤＮを読み出すために十分であり得る。
【０００９】
第１のユーザ端末が第１のネットワークで接続１つだけに関与するとき、別の実施形態における第１のネットワークでの接続の参照は、第２の端末に割り当てられている第１のネットワークアドレスを備える。この場合、上記の例では、第１のユーザ端末に割り当てられているＭＳＩＳＤＮは関連する呼を識別するために十分であり、それ故、関連する第２のユーザ端末の識別表示に十分である。
【００１０】
第１のユーザ端末が第１のネットワークで１つを超える接続に関与するとき、別の実施形態における第１のネットワークでの接続の参照は、第１のユーザ端末と第２のユーザ端末との間の第１のネットワークでの接続を識別する呼参照番号（ＣＲＮ、Call Reference Number）を備える。例えば、ＣＲＮは、ＳＩＰ  ＩＮＶＩＴＥメッセージに含まれてもよい。
【００１１】
あるいは、第１のユーザ端末が第１のネットワークで１つを超える接続に関与するとき、第１のネットワークでの接続の参照は、第２のネットワークで接続を設定する要求と第１のネットワークでの接続に関連する第１のネットワークメッセージとを相互に関連付けることにより取得される。例えば、第１のユーザ端末は、ＳＩＰ  ＩＮＶＩＴＥメッセージを第２のネットワークに向けて発送するのと同時に、第１のネットワークに通話中トリガを送信するように構成されてもよい。共通部では、これら２つのイベントを検出し、相互に関連付け得る。
【００１２】
別の実施形態では、第２のユーザ端末に割り当てられている第１のネットワークアドレスと第２のネットワークアドレスが、第１のユーザ端末に向かう接続内では隠蔽される。これにより、例えばプライバシーのためなどで望ましいとき、第２のユーザ端末のアイデンティティの秘匿が可能になる。
【００１３】
第１のネットワークは、（例えば、音声接続用の）回線交換ネットワークでもよく、この場合第２のネットワークは、別の実施形態ではパケット交換ネットワークでもよい。ＰＳネットワークは、例えば、第１のユーザ端末と第２のユーザ端末との間のＳＩＰセッションの設定を可能にする。
【００１４】
本発明は、第１のネットワークがパケット交換ネットワークで第２のネットワークが回線交換ネットワークのときも適用し得る。例えば、２つのユーザ端末がチャットセッション（第１のネットワークでの接続）を行っていて、関連ニックネームだけがユーザ端末に知られているとき、本方法は、ユーザ端末がＣＳアドレスを知る必要なしに、ＣＳネットワークで音声接続を設定するために使用されてもよい。
【００１５】
別の態様では、本発明は、上記発明のプリアンブル部分に記載されたネットワーク装置に関する。この態様では、ネットワーク装置は、第１のネットワークと第２のネットワークとの共通部に接続可能であり、ネットワーク装置は、第１のユーザ端末からコンテキスト依存の第２のネットワークアドレスを受信時、第２のネットワークで接続を開始するように構成され、コンテキスト依存の第２のネットワークアドレスは、複合サービスを識別し、複合サービスは、共通部を使用した第２の端末に割り当てられている第２のネットワークアドレスの読み出しと、第２の端末に割り当てられている第２のネットワークアドレスを使用した第２の接続の設定完了とを備える。
【００１６】
ネットワーク装置は、必要な場合、他のネットワーク要素と適切にインタフェースするハードウェアとともに、上記の方法の実施形態のいずれか１つを実施するようにさらに構成されてもよい。
【００１７】
さらに別の態様では、本発明は、第１のネットワークと第２のネットワークの両方にとってアクセス可能な共通部装置に関し、共通部装置は、第１のユーザ端末と少なくとも第２のユーザ端末との間の第１のネットワークでの接続に関する情報を格納するよう構成され、共通部装置は、第１のユーザ端末と第２のユーザ端末との間の第２のネットワークでの接続の設定を可能にするために、要求に応じて、第２の端末に割り当てられている第２のネットワークアドレスを提供するようにさらに構成される。このような共通部装置は、本方法の実施形態の機能の一部を実現できる。例えば、共通部装置は、第２のネットワークでの接続の設定要求と第１のネットワークの接続に関連する第１のネットワークメッセージとを関連付けるようにさらに構成される。
【００１８】
また、本発明は、第１のネットワークと第２のネットワークと、第２のネットワークで２つのユーザ端末間の接続の設定を可能にする本発明の実施形態によるネットワーク装置とを備える通信システムに関する。通信システムは、本発明による共通部装置さらに備えてもよい。
【００１９】
本発明は、プロセッサおよびメモリ手段を有するネットワーク装置にロードされたとき、ネットワーク装置に本発明の実施形態のいずれか１つの方法を実行する能力を提供するコンピュータ実行可能コードを備えるコンピュータプログラム製品にも関する。
【００２０】
本発明について、相当数の実施形態を使用し添付図面を参照して、以下により詳細に検討する。
【発明を実施するための最良の形態】
【００２１】
図１は、２つのユーザ端末２１、２２の概略図である。ユーザ端末２１、２２は、回線交換（ＣＳ）ネットワーク１５およびパケット交換（ＰＳ）ネットワーク１６の少なくも一方を使用して、相互間でコネクション（接続）を確立できる。ＣＳネットワーク１５およびＰＳネットワーク１６は、例えば携帯電話ネットワークであり、より具体的には、例えばＧＳＭネットワーク１５およびＧＰＲＳネットワーク１６などで形成されてもよい。ＣＳネットワーク１５とＰＳネットワーク１６は、例えばＣＳネットワーク１５とＰＳネットワーク１６の両方からアクセス可能なデータベースなどの共通部すなわち共通部装置１７を共有してもよい。
【００２２】
ユーザ端末２２（Ａ）とユーザ端末２１（Ｂ）との間のＣＳ呼の設定は、図に示すステップ１…４によって達成される。ユーザ端末２２は、ＣＳネットワーク１５向けの呼を開始（起呼）する（ステップ１）。次いでＣＳネットワーク１５は、他のユーザ端末２１に通知する（ステップ２）。ユーザ端末２１が応答すると、応答したことがＣＳネットワーク１５に通知される（ステップ３）。次いでＣＳネットワーク１５は、ユーザ端末２２に応答信号を転送する。ＣＳ呼の設定中、ＣＳネットワーク１５は、ＣＳネットワーク１５とＰＳネットワーク１６の両方のサービスがこの情報を読み出すことができるような手法で、（発番号もしくは発信者回線番号、接続先回線番号、呼参照番号、…などの）呼情報を格納する。ＣＳ呼情報は、共通部装置１７に格納されてもよい。留意すべきは、発信者回線番号および接続先回線番号は、発呼者または接続相手によって隠蔽されてもよいが、これらのアイデンティティは依然としてＩＳＵＰ（ＩＳＤＮユーザ部、ISDN User Part）で入手可能であり、それ故、共通部装置１７に格納し得る。
【００２３】
呼参照番号は、ＣＳ呼で、発信ユーザ端末２２に報告（ステップ４）され、また被呼ユーザ端末２１に報告（ステップ２）されてもよい。
【００２４】
ＰＳネットワーク１６は、ユーザ端末のＣＬＩに基づきユーザ端末２１、２２のＩＰアドレスを判定するために使用し得る情報を有する。
【００２５】
ユーザ端末２２とユーザ端末２１との間のＣＳ呼が存在している間、関与する通話者の１人（例えば、ユーザ端末２１（Ｂ））が、異なるネットワークを使用して２つのユーザ端末２１、２２間に別の異なる種類の接続、例えばＰＳネットワーク１６を使用してセッション開始プロトコル（ＳＩＰ）によるセッションを設定したいと望んでもよい。
【００２６】
ユーザ端末２１、２２が、例えばＳＩＰセッションを進行中のＣＳ呼（音声会話）に加えたいと望むとき、ユーザ端末２１、２２は、他のユーザ端末２１、２２のＳＩＰ−ＵＲＩ（ＳＩＰ  Ｕｎｉｆｏｒｍ  Ｒｅｓｏｕｒｃｅ  Ｉｄｅｎｔｉｆｉｅｒ）を知らなければならない。同じことは、発呼／被呼ユーザ端末２１、２２が通信相手のユーザ端末２１、２２にインスタントメッセージの送信を望み得るときにも起こる。
【００２７】
（発呼）ユーザ端末２１、２２が、他の（被呼）ユーザ端末２１、２２のＳＩＰ−ＵＲＩを、例えばユーザ端末の住所録に格納している場合、このＳＩＰ−ＵＲＩは、ＰＳネットワーク１６でのＳＩＰセッションの設定のために直接使用し得る。
【００２８】
（発呼）ユーザ端末２１、２２がＳＩＰ−ＵＲＩを知らない場合、（ＣＳ呼設定で使用された）他のユーザ端末２１、２２のＭＳＩＳＤＮが、ｔｅｌ  ＵＲＩを形成するために使用されてもよい。次いでＳＩＰセッションは、このｔｅｌ  ＵＲＩを使用してＰＳネットワーク１６で設定されてもよい。
【００２９】
（被呼）ユーザ端末２１、２２がＳＩＰ−ＵＲＩを知らない場合、ＣＳシグナリングで配信された発信者回線番号（ＣＬＩ）も、上記同様にｔｅｌ  ＵＲＩを形成するために使用されてもよい。
【００３０】
（被呼）ユーザ端末２１、２２が、例えば発信者回線番号通知制限（ＣＬＩＲ）のため、他の（発呼）ユーザ端末２１、２２のＭＳＩＳＤＮを通知されないとき、ユーザ端末２１、２２は、ＭＳＩＳＤＮに基づきＳＩＰ−ＵＲＩを作成する上記方法のどれも使用できない。
【００３１】
（発呼）ユーザ端末２１、２２は呼設定中に使用したＭＳＩＳＤＮを知っているが、ＣＳ呼が宛先変更され、（例えば、接続先回線番号通知制限ＣＯＬＲのために）接続先回線番号を受信できないときも、ユーザ端末２１、２２は、ＭＳＩＳＤＮに基づきＳＩＰ−ＵＲＩを作成する上記の方法のどれも使用できない。
【００３２】
本発明による方法の種々の実施形態は、これらの状況でさえも、２つのユーザ端末２１、２２間でＳＩＰセッションの設定を可能にするために使用されてもよい。
【００３３】
ＳＩＰセッションの設定中（ステップ６）、ユーザ端末２１（Ｂ）は、ｓｉｐ：ｃａｌｌ＿ｐａｒｔｎｅｒ＠ｃａｌｌ＿ｐａｒｔｎｅｒ．ｍｙｔｅｌｃｏ．ｃｏｍのようなコンテキスト依存アドレスを持つＳＩＰ  ＩＮＶＩＴＥメッセージを送信する。この「ｃａｌｌ＿ｐａｒｔｎｅｒ．ｍｙｔｅｌｃｏ．ｃｏｍ」は、ＰＳネットワーク１６のサービスを特定できる。特定されたサービスは、ユーザ端末２１が「未知」の相手（ユーザ端末２２（Ａ））とのＳＩＰセッションを設定するのを支援する。
【００３４】
次いでＰＳネットワーク１６のサービスは、このコンテキスト依存アドレスを「本当のアドレス」（例えば、Ｊｏｈｍ．Ｓｍｉｔｈ＠ｔｅｌｃｏ．ｃｏｍなどの直接アドレス）に変換し、それは、最終的にユーザ端末２２にＩＮＶＩＴＥを配信（ステップ８）するために使用し得る。使用されなければならないフォーマットは、送信端末（この場合、ユーザ端末２１（Ｂ））で利用可能な情報および複合ネットワークすなわち共通部１７の機能しだいである。
【００３５】
ＰＳネットワーク１６のサービスは、（ＳＩＰ  ＩＮＶＩＴＥメッセージの識別情報「ｃａｌｌ＿ｐａｒｔｎｅｒ．ｍｙｔｅｌｃｏ．ｃｏｍ」によってトリガされて）ＳＩＰ  ＩＮＶＩＴＥメッセージを生成したユーザ端末２１（Ｂ）のＩＰアドレスを判別し得る。
【００３６】
複合ネットワーク１７（例えば、ホームロケーションレジスタＨＬＲ）の機能に検索の問い合わせをすることによって、ＰＳネットワーク１６のサービスは、ユーザ端末２１（Ｂ）の既知のＩＰアドレスに基づき、ユーザ端末２１（Ｂ）のＭＳＩＳＤＮを特定してもよい。次いでＰＳネットワーク１６のサービスは、この既知のＭＳＩＳＤＮによって特定された呼に関与する通話者に関して、ＣＳネットワークに検索の問い合わせをする（ステップ７）。ＢパーティがＣＳ呼１つだけを継続中のとき、（Ｂパーティの）ＭＳＩＳＤＮは進行中の呼に関して十分な識別情報となる。この進行中のＣＳ呼に２人の参加者だけが参加している場合、他のユーザ端末２２（Ａ）のＭＳＩＳＤＮは、進行中のＣＳ呼のデータから読み取られてもよい。次いで、（共通部１７の）ホームロケーションレジスタＨＬＲは、ＡパーティのＭＳＩＳＤＮに属したユーザ端末２２（Ａ）のＩＰアドレスを探索するために、問い合わせを受けてもよい。この場合、フォーマットｓｉｐ：ｃａｌｌ＿ｐａｒｔｎｅｒ＠ｃａｌｌ＿ｐａｒｔｎｅｒ．ｍｙｔｅｌｃｏ．ｃｏｍは、コンテキスト依存アドレスとして十分である。ＰＳネットワーク１６のサービスは、今では、図のステップ８に示すようにユーザ端末２２（Ａ）にＩＮＶＩＴＥを配信し得る。その後、ユーザ端末２２（Ａ）は、ＳＩＰ  ＯＫメッセージで応答（ステップ９）する。これにより、ＰＳネットワーク１６のサービスは、ステップ１０で示すように発信ユーザ端末２１（Ｂ）にＳＩＰ  ＯＫメッセージの中継が可能になる。
【００３７】
ユーザ端末２１（Ｂ）が１つを超える進行中のＣＳ呼を有するとき、ユーザ端末２１（Ｂ）は、ＰＳネットワーク１６に向けて初期ＳＩＰ  ＩＮＶＩＴＥメッセージの相対アドレスで、意図した進行中のＣＳ呼の識別情報を提供（ステップ６）しなければならない。一実施形態では、この識別表示は、（ＣＳネットワーク１５によってユーザ端末２１（Ｂ）に提供され得る）呼参照番号であってもよい。
【００３８】
一般論として、コンテキスト依存アドレスは、ｓｉｐ：＜ｓｏｍｅ＿ｉｄｅｎｔｉｆｉｃａｔｉｏｎ＿ｏｆ＿ＣＳ＿ｃａｌｌ＞＠ｃａｌｌ＿ｐａｒｔｎｅｒ．ｍｙｔｅｌｃｏ．ｃｏｍの形態を有してもよく、ここで「＜ｓｏｍｅ＿ｉｄｅｎｔｉｆｉｃａｔｉｏｎ＿ｏｆ＿ＣＳ＿ｃａｌｌ＞」は、ＣＲＮなどの進行中のＣＳ呼を特定する。コンテキスト依存アドレスのさらに別の可能性は、ｓｉｐ：＜ｓｏｍｅ＿ｉｄｅｎｔｉｆｉｃａｔｉｏｎ＿ｏｆ＿ＣＳ＿ｃａｌｌ＞＜ｍｅ＞＠ｃａｌｌ＿ｐａｒｔｎｅｒ．ｍｙｔｅｌｃｏ．ｃｏｍであり、ここで＜ｍｅ＞は、コンテキスト依存ＳＩＰ−ＵＲＩの使用を要求するユーザ端末２１（Ｂ）を特定する。
【００３９】
別の実施形態では、別の代替手法が、ユーザ端末２２（Ａ）とユーザ端末２１（Ｂ）との間の正しいＣＳ呼を識別するために使用される。ユーザ端末２１（Ｂ）が、（ＰＳネットワーク１６経由で）ＳＩＰ  ＩＮＶＩＴＥメッセージと、ユーザ端末２２（Ａ）とユーザ端末２１（Ｂ）との間の意図した進行中ＣＳ呼の状況内で（ＣＳネットワーク１６経由で）ＣＳ通話中トリガとを同時に送信するとき、共通部１７の複合サービスは、これら２つの信号を相互に関連付け、必要な呼参照を取得し得る。
【００４０】
上記実施形態のすべてにおいて、ユーザ端末２１、２２の必要なプライバシーは維持し得る。ユーザ端末２２（Ａ）が（ユーザ端末２１（Ｂ）にＣＬＩを通知しないことにより）プライバシーを要求したとき、ＰＳネットワーク１６の複合サービスは、ユーザ端末２１（Ｂ）へのＰＳトラヒックがユーザ端末２２（Ａ）に関連し得るいかなる情報（例えば、ＩＰアドレスまたはＳＩＰ−ＵＲＩ）も含まないように注意すべきである。次いでユーザ端末２１（Ｂ）向けのメッセージのＳＩＰ−ＵＲＩは、例えば「ｃａｌｌ＿ｐａｒｔｎｅｒ＠ｃａｌｌ＿ｐａｒｔｎｅｒ．ｍｙｔｅｌｃｏ．ｃｏｍ」などと組み立てられ、ＩＰアドレスはＰＳネットワーク１６によって秘匿されるべきである。
【００４１】
本発明は、上記実施形態に関して述べたのと同様のやり方で、例えばユーザ端末２１、２２の１つから実際のアドレスが未知の他のユーザ端末２１、２２にインスタントメッセージを送信するためにも使用されてもよい。
【００４２】
また、同様の複合サービスの実施形態は、（ＰＳネットワーク１６で）ＳＩＰセッションを行う２つのユーザ端末２１、２２間の（ＣＳネットワーク１５での）ＣＳ呼の設定を支援するために使用されてもよい。例えば、２つのユーザ端末２１、２２がチャットセッションを行っていて、各々がニックネームだけ（ＰＳネットワーク１６では十分）で識別されるとき、ＣＳ呼はコンテキスト依存アドレス（例えば、＊３２２＃）を使用して設定されてもよい。このコンテキスト依存アドレス（サービスコード）は、本発明による複合サービスに、未知のユーザ端末２２のＭＳＩＳＤＮを判別して（発信ユーザ端末２１のＭＳＩＳＤＮは相対アドレスを使用した動作から特定される）、ユーザ端末２１、２２間のＣＳ呼を設定するようリクエストする。
【００４３】
種々の実施形態を参照してこれまで述べたサービスは、それぞれＣＳネットワーク１５またはＰＳネットワーク１６の一部であるネットワーク装置に実装されてもよい。例えば、ネットワーク装置は、当業者には周知のように、コンピュータ実行可能コードをロードするプロセッサおよびメモリを備えていてもよい。コンピュータ実行可能コードは、コンピュータプログラム製品で提供され、周知のやり方でネットワーク装置のメモリにロードされてもよい。
【図面の簡単な説明】
【００４４】
【図１】第１の種類のネットワークでの接続に関与する２つの端末の概略図と、第２の種類のネットワークで接続が設定中であることを示す図である。
【図１】
2009518941.tif 000003
【手続補正書】
【提出日】平成19年12月13日(2007.12.13)
【手続補正１】
【補正対象書類名】特許請求の範囲
【補正対象項目名】請求項１
【補正方法】変更
【補正の内容】
【請求項１】
第１のネットワーク（１５）において第１のユーザ端末（２１）と第２のユーザ端末（２２）との間にコネクションが確立されている際に、第２のネットワーク（１６）において該第１のユーザ端末（２１）から該第２のユーザ端末（２２）へコネクションを設定する方法であって、
前記第２のネットワークの複合サービスを識別するためのコンテキスト依存型の第２のネットワークアドレスを使用して、該第２のネットワークでの前記第コネクションを開始する工程と、
前記第２のユーザ端末（２２）の第２のネットワークアドレスを使用して前記第２のネットワークでの前記コネクションの設定を完了する工程と
を備え、
前記複合サービスは、前記第１のネットワーク（１５）と前記第２のネットワーク（１６）との共通部装置（１７）を使用して前記第２のユーザ端末（２２）の第２のネットワークアドレスを抽出する機能を備えたサービスであることを特徴とする方法。
【手続補正２】
【補正対象書類名】特許請求の範囲
【補正対象項目名】請求項９
【補正方法】変更
【補正の内容】
【請求項９】
第１のネットワーク（１５）において第１のユーザ端末（２１）と第２のユーザ端末（２２）との間にコネクションが確立されている際に、第２のネットワーク（１６）において該第１のユーザ端末（２１）から該第２のユーザ端末（２２）へコネクションを設定するように構成されたネットワーク装置であって、
前記ネットワーク装置は、前記第１のネットワーク（１５）と前記第２のネットワーク（１６）との共通部（１７）へ接続可能であり、
前記ネットワーク装置は、前記第１のユーザ端末（２１）からコンテキスト依存型の第２のネットワークアドレスを受信すると、前記第２のネットワークでの前記コネクションを開始するように構成されており、
前記コンテキスト依存型の第２のネットワークアドレスは、複合サービスを識別できるアドレスであり、
前記ネットワーク装置は、前記複合サービスを実行するように構成されており、
前記複合サービスは、前記共通部（１７）を使用して前記第２のユーザ端末（２２）の第２のネットワークアドレスを抽出するサービスであり、
前記ネットワーク装置は、該第２のユーザ端末（２２）の該第２のネットワークアドレスを使用して前記第２のネットワークでの前記コネクションの設定を完了するように構成されていることを特徴とするネットワーク装置。
【手続補正３】
【補正対象書類名】特許請求の範囲
【補正対象項目名】請求項１５
【補正方法】変更
【補正の内容】
【請求項１５】
前記ネットワーク装置は、パケット型のネットワークである第２のネットワークにおいて前記コネクションを開始するように構成されている
ことを特徴とする請求項９ないし１４のいずれか１項に記載のネットワーク装置。
【手続補正４】
【補正対象書類名】特許請求の範囲
【補正対象項目名】請求項１６
【補正方法】変更
【補正の内容】
【請求項１６】
前記ネットワーク装置は、回線交換型のネットワークである第２のネットワークにおいて前記コネクションを開始するように構成されている
ことを特徴とする請求項９ないし１４のいずれか１項に記載のネットワーク装置。
【手続補正５】
【補正対象書類名】特許請求の範囲
【補正対象項目名】請求項１７
【補正方法】変更
【補正の内容】
【請求項１７】
第１のネットワーク（１５）において第１のユーザ端末（２１）と第２のユーザ端末（２２）との間に確立されているコネクションに関する情報を記憶するように構成され、該第１のネットワーク（１５）及び第２のネットワーク（１６）からアクセス可能な共通部装置であって、
前記共通部装置は、
リクエストを受信すると、前記第２のネットワーク（１６）において前記第１のユーザ端末（２１）と前記第２のユーザ端末（２２）との間にコネクションを設定することを可能ならしめるために、前記第２のユーザ端末に割り当てられている第２のネットワークアドレスを供給するように構成されている
ことを特徴とする共通部装置。
【手続補正６】
【補正対象書類名】明細書
【補正対象項目名】０００１
【補正方法】変更
【補正の内容】
【０００１】
本発明は、第１のユーザ端末と第２のユーザ端末との間の接続（コネクション）が第１のネットワークに存在するとき、第１の（起呼）ユーザ端末から第２のユーザ端末へ、第２のネットワークで接続を設定する方法に関する。また別の態様では、本発明は、第１のユーザ端末と第２のユーザ端末との間の接続が第１のネットワークに存在するとき、第１のユーザ端末から第２のユーザ端末へ、第２のネットワークで接続を設定するように構成されたネットワーク装置に関する。
【手続補正７】
【補正対象書類名】明細書
【補正対象項目名】０００５
【補正方法】変更
【補正の内容】
【０００５】
上記の例は、第１のネットワークがＣＳネットワークにあり、第２のネットワークがＰＳネットワークであり、第１のネットワークにおいて接続が確立されているケースである。しかし、同じ問題は、接続がＰＳネットワーク（今度は第１のネットワークに相当）に存在し、例えば２人のユーザがユーザのニックネームだけが通知されるチャットセッションを行っているときも、起こり得る。この場合、どのユーザも第２のネットワークで接続を設定できない。例えばＣＳネットワークで音声通話を設定できない。これは、第２のネットワーク（ＣＳネットワーク）の直接アドレス（ＭＳＩＳＤＮ）を知らないからである。
国際公開公報ＷＯ２００４／０７７７１７号によれば、ＩＰベース（パケット交換型）のネットワークにおいて２つのコンピュータＰＣ１及びＰＣ２との間にマルチメディアコネクションが存在し、それと並行して、電話回線Ｌ１を使用して２つの端末Ｔ１及びＴ２間に音声コネクション（第２のコネクション）を自動的に設定するシステムがかいじされている。そのうちの１つの実施形態によれば、電話回線ネットワークｗ−クに設けられたネットワークノード装置において実行されているアプリケーションは２つの端末Ｔ１及びＴ２の各電話アドレスを探し出すために使用される。これらは、ディレクトリ内で、マルチメディアコネクションに関与しているコンピュータＰＣ１及びＰＣ２に関連付けられている。そして、電話コネクションが設定される。ただし、端末Ｔ１及びＴ２、コンピュータＰＣ１及びＰＣ２はそれぞれ分離したエンティティである。
国威公開公報ＷＯ２００５／１０１８５８によれば、匿名による音声通信が開示されている。一例として、２つのコンピュータ端末を使用してＩＰネットワークにおいて二人のユーザ間に通信が確立されており、サービスは、二人のユーザに関連付けられた電話端末を使用してプライベートコールを設定することができる。ただし、プライベートコールやこれらの通信に使用されるエンティティはやはり分離したものである。
【手続補正８】
【補正対象書類名】明細書
【補正対象項目名】００２１
【補正方法】変更
【補正の内容】
【００２１】
図１は、２つのユーザ端末２１、２２の概略図である。ユーザ端末２１、２２は、回線交換（ＣＳ）ネットワーク１６およびパケット交換（ＰＳ）ネットワーク１５の少なくも一方を使用して、相互間でコネクション（接続）を確立できる。ＣＳネットワーク１６およびＰＳネットワーク１５は、例えば携帯電話ネットワークであり、より具体的には、例えばＧＳＭネットワーク１６およびＧＰＲＳネットワーク１５などで形成されてもよい。ＣＳネットワーク１６とＰＳネットワーク１５は、例えばＣＳネットワーク１６とＰＳネットワーク１５の両方からアクセス可能なデータベースなどの共通部すなわち共通部装置１７を共有してもよい。
【手続補正９】
【補正対象書類名】明細書
【補正対象項目名】００２２
【補正方法】変更
【補正の内容】
【００２２】
ユーザ端末２１（Ａ）とユーザ端末２２（Ｂ）との間のＣＳ呼の設定は、図に示すステップ１…４によって達成される。ユーザ端末２１は、ＣＳネットワーク１６向けの呼を開始（起呼）する（ステップ１）。次いでＣＳネットワーク１６は、他のユーザ端末２２に通知する（ステップ２）。ユーザ端末２２が応答すると、応答したことがＣＳネットワーク１６に通知される（ステップ３）。次いでＣＳネットワーク１６は、ユーザ端末２１に応答信号を転送する。ＣＳ呼の設定中、ＣＳネットワーク１６は、ＣＳネットワーク１６とＰＳネットワーク１５の両方のサービスがこの情報を読み出すことができるような手法で、（発番号もしくは発信者回線番号、接続先回線番号、呼参照番号、…などの）呼情報を格納する。ＣＳ呼情報は、共通部装置１７に格納されてもよい。留意すべきは、発信者回線番号および接続先回線番号は、発呼者または接続相手によって隠蔽されてもよいが、これらのアイデンティティは依然としてＩＳＵＰ（ＩＳＤＮユーザ部、ISDN User Part）で入手可能であり、それ故、共通部装置１７に格納し得る。
【手続補正１０】
【補正対象書類名】明細書
【補正対象項目名】００２３
【補正方法】変更
【補正の内容】
【００２３】
呼参照番号は、ＣＳ呼で、発信ユーザ端末２１に報告（ステップ４）され、また被呼ユーザ端末２２に報告（ステップ２）されてもよい。
【手続補正１１】
【補正対象書類名】明細書
【補正対象項目名】００２４
【補正方法】変更
【補正の内容】
【００２４】
ＰＳネットワーク１５は、ユーザ端末のＣＬＩに基づきユーザ端末２１、２２のＩＰアドレスを判定するために使用し得る情報を有する。
【手続補正１２】
【補正対象書類名】明細書
【補正対象項目名】００２５
【補正方法】変更
【補正の内容】
【００２５】
ユーザ端末２１とユーザ端末２２との間のＣＳ呼が存在している間、関与する通話者の１人（例えば、ユーザ端末２２（Ｂ））が、異なるネットワークを使用して２つのユーザ端末２１、２２間に別の異なる種類の接続、例えばＰＳネットワーク１５を使用してセッション開始プロトコル（ＳＩＰ）によるセッションを設定したいと望んでもよい。
【手続補正１３】
【補正対象書類名】明細書
【補正対象項目名】００２７
【補正方法】変更
【補正の内容】
【００２７】
（発呼）ユーザ端末２１、２２が、他の（被呼）ユーザ端末２１、２２のＳＩＰ−ＵＲＩを、例えばユーザ端末の住所録に格納している場合、このＳＩＰ−ＵＲＩは、ＰＳネットワーク１５でのＳＩＰセッションの設定のために直接使用し得る。
【手続補正１４】
【補正対象書類名】明細書
【補正対象項目名】００２８
【補正方法】変更
【補正の内容】
【００２８】
（発呼）ユーザ端末２１、２２がＳＩＰ−ＵＲＩを知らない場合、（ＣＳ呼設定で使用された）他のユーザ端末２１、２２のＭＳＩＳＤＮが、ｔｅｌ  ＵＲＩを形成するために使用されてもよい。次いでＳＩＰセッションは、このｔｅｌ  ＵＲＩを使用してＰＳネットワーク１５で設定されてもよい。
【手続補正１５】
【補正対象書類名】明細書
【補正対象項目名】００３３
【補正方法】変更
【補正の内容】
【００３３】
ＳＩＰセッションの設定中（ステップ６）、ユーザ端末２２（Ｂ）は、ｓｉｐ：ｃａｌｌ＿ｐａｒｔｎｅｒ＠ｃａｌｌ＿ｐａｒｔｎｅｒ．ｍｙｔｅｌｃｏ．ｃｏｍのようなコンテキスト依存アドレスを持つＳＩＰ  ＩＮＶＩＴＥメッセージを送信する。この「ｃａｌｌ＿ｐａｒｔｎｅｒ．ｍｙｔｅｌｃｏ．ｃｏｍ」は、ＰＳネットワーク１５のサービスを特定できる。特定されたサービスは、ユーザ端末２２が「未知」の相手（ユーザ端末２１（Ａ））とのＳＩＰセッションを設定するのを支援する。
【手続補正１６】
【補正対象書類名】明細書
【補正対象項目名】００３４
【補正方法】変更
【補正の内容】
【００３４】
次いでＰＳネットワーク１５のサービスは、このコンテキスト依存アドレスを「本当のアドレス」（例えば、Ｊｏｈｍ．Ｓｍｉｔｈ＠ｔｅｌｃｏ．ｃｏｍなどの直接アドレス）に変換し、それは、最終的にユーザ端末２１にＩＮＶＩＴＥを配信（ステップ８）するために使用し得る。使用されなければならないフォーマットは、送信端末（この場合、ユーザ端末２２（Ｂ））で利用可能な情報および複合ネットワークすなわち共通部１７の機能しだいである。
【手続補正１７】
【補正対象書類名】明細書
【補正対象項目名】００３５
【補正方法】変更
【補正の内容】
【００３５】
ＰＳネットワーク１５のサービスは、（ＳＩＰ  ＩＮＶＩＴＥメッセージの識別情報「ｃａｌｌ＿ｐａｒｔｎｅｒ．ｍｙｔｅｌｃｏ．ｃｏｍ」によってトリガされて）ＳＩＰ  ＩＮＶＩＴＥメッセージを生成したユーザ端末２２（Ｂ）のＩＰアドレスを判別し得る。
【手続補正１８】
【補正対象書類名】明細書
【補正対象項目名】００３６
【補正方法】変更
【補正の内容】
【００３６】
複合ネットワーク１７（例えば、ホームロケーションレジスタＨＬＲ）の機能に検索の問い合わせをすることによって、ＰＳネットワーク１５のサービスは、ユーザ端末２２（Ｂ）の既知のＩＰアドレスに基づき、ユーザ端末２２（Ｂ）のＭＳＩＳＤＮを特定してもよい。次いでＰＳネットワーク１５のサービスは、この既知のＭＳＩＳＤＮによって特定された呼に関与する通話者に関して、ＣＳネットワークに検索の問い合わせをする（ステップ７）。ＢパーティがＣＳ呼１つだけを継続中のとき、（Ｂパーティの）ＭＳＩＳＤＮは進行中の呼に関して十分な識別情報となる。この進行中のＣＳ呼に２人の参加者だけが参加している場合、他のユーザ端末２１（Ａ）のＭＳＩＳＤＮは、進行中のＣＳ呼のデータから読み取られてもよい。次いで、（共通部１７の）ホームロケーションレジスタＨＬＲは、ＡパーティのＭＳＩＳＤＮに属したユーザ端末２１（Ａ）のＩＰアドレスを探索するために、問い合わせを受けてもよい。この場合、フォーマットｓｉｐ：ｃａｌｌ＿ｐａｒｔｎｅｒ＠ｃａｌｌ＿ｐａｒｔｎｅｒ．ｍｙｔｅｌｃｏ．ｃｏｍは、コンテキスト依存アドレスとして十分である。ＰＳネットワーク１５のサービスは、今では、図のステップ８に示すようにユーザ端末２１（Ａ）にＩＮＶＩＴＥを配信し得る。その後、ユーザ端末２１（Ａ）は、ＳＩＰ  ＯＫメッセージで応答（ステップ９）する。これにより、ＰＳネットワーク１５のサービスは、ステップ１０で示すように発信ユーザ端末２２（Ｂ）にＳＩＰ  ＯＫメッセージの中継が可能になる。
【手続補正１９】
【補正対象書類名】明細書
【補正対象項目名】００３７
【補正方法】変更
【補正の内容】
【００３７】
ユーザ端末２２（Ｂ）が１つを超える進行中のＣＳ呼を有するとき、ユーザ端末２２（Ｂ）は、ＰＳネットワーク１５に向けて初期ＳＩＰ  ＩＮＶＩＴＥメッセージの相対アドレスで、意図した進行中のＣＳ呼の識別情報を提供（ステップ６）しなければならない。一実施形態では、この識別表示は、（ＣＳネットワーク１６によってユーザ端末２２（Ｂ）に提供され得る）呼参照番号であってもよい。
【手続補正２０】
【補正対象書類名】明細書
【補正対象項目名】００３８
【補正方法】変更
【補正の内容】
【００３８】
一般論として、コンテキスト依存アドレスは、ｓｉｐ：＜ｓｏｍｅ＿ｉｄｅｎｔｉｆｉｃａｔｉｏｎ＿ｏｆ＿ＣＳ＿ｃａｌｌ＞＠ｃａｌｌ＿ｐａｒｔｎｅｒ．ｍｙｔｅｌｃｏ．ｃｏｍの形態を有してもよく、ここで「＜ｓｏｍｅ＿ｉｄｅｎｔｉｆｉｃａｔｉｏｎ＿ｏｆ＿ＣＳ＿ｃａｌｌ＞」は、ＣＲＮなどの進行中のＣＳ呼を特定する。コンテキスト依存アドレスのさらに別の可能性は、ｓｉｐ：＜ｓｏｍｅ＿ｉｄｅｎｔｉｆｉｃａｔｉｏｎ＿ｏｆ＿ＣＳ＿ｃａｌｌ＞＜ｍｅ＞＠ｃａｌｌ＿ｐａｒｔｎｅｒ．ｍｙｔｅｌｃｏ．ｃｏｍであり、ここで＜ｍｅ＞は、コンテキスト依存ＳＩＰ−ＵＲＩの使用を要求するユーザ端末２２（Ｂ）を特定する。
【手続補正２１】
【補正対象書類名】明細書
【補正対象項目名】００３９
【補正方法】変更
【補正の内容】
【００３９】
別の実施形態では、別の代替手法が、ユーザ端末２１（Ａ）とユーザ端末２２（Ｂ）との間の正しいＣＳ呼を識別するために使用される。ユーザ端末２２（Ｂ）が、（ＰＳネットワーク１５経由で）ＳＩＰ  ＩＮＶＩＴＥメッセージと、ユーザ端末２１（Ａ）とユーザ端末２２（Ｂ）との間の意図した進行中ＣＳ呼の状況内で（ＣＳネットワーク１５経由で）ＣＳ通話中トリガとを同時に送信するとき、共通部１７の複合サービスは、これら２つの信号を相互に関連付け、必要な呼参照を取得し得る。
【手続補正２２】
【補正対象書類名】明細書
【補正対象項目名】００４０
【補正方法】変更
【補正の内容】
【００４０】
上記実施形態のすべてにおいて、ユーザ端末２１、２２の必要なプライバシーは維持し得る。ユーザ端末２１（Ａ）が（ユーザ端末２２（Ｂ）にＣＬＩを通知しないことにより）プライバシーを要求したとき、ＰＳネットワーク１５の複合サービスは、ユーザ端末２２（Ｂ）へのＰＳトラヒックがユーザ端末２１（Ａ）に関連し得るいかなる情報（例えば、ＩＰアドレスまたはＳＩＰ−ＵＲＩ）も含まないように注意すべきである。次いでユーザ端末２２（Ｂ）向けのメッセージのＳＩＰ−ＵＲＩは、例えば「ｃａｌｌ＿ｐａｒｔｎｅｒ＠ｃａｌｌ＿ｐａｒｔｎｅｒ．ｍｙｔｅｌｃｏ．ｃｏｍ」などと組み立てられ、ＩＰアドレスはＰＳネットワーク１５によって秘匿されるべきである。
【手続補正２３】
【補正対象書類名】明細書
【補正対象項目名】００４２
【補正方法】変更
【補正の内容】
【００４２】
また、同様の複合サービスの実施形態は、（ＰＳネットワーク１５で）ＳＩＰセッションを行う２つのユーザ端末２１、２２間の（ＣＳネットワーク１６での）ＣＳ呼の設定を支援するために使用されてもよい。例えば、２つのユーザ端末２１、２２がチャットセッションを行っていて、各々がニックネームだけ（ＰＳネットワーク１５では十分）で識別されるとき、ＣＳ呼はコンテキスト依存アドレス（例えば、＊３２２＃）を使用して設定されてもよい。このコンテキスト依存アドレス（サービスコード）は、本発明による複合サービスに、未知のユーザ端末２１のＭＳＩＳＤＮを判別して（発信ユーザ端末２２のＭＳＩＳＤＮは相対アドレスを使用した動作から特定される）、ユーザ端末２１、２２間のＣＳ呼を設定するようリクエストする。
【手続補正２４】
【補正対象書類名】明細書
【補正対象項目名】００４３
【補正方法】変更
【補正の内容】
【００４３】
種々の実施形態を参照してこれまで述べたサービスは、それぞれＣＳネットワーク１６またはＰＳネットワーク１５の一部であるネットワーク装置に実装されてもよい。例えば、ネットワーク装置は、当業者には周知のように、コンピュータ実行可能コードをロードするプロセッサおよびメモリを備えていてもよい。コンピュータ実行可能コードは、コンピュータプログラム製品で提供され、周知のやり方でネットワーク装置のメモリにロードされてもよい。
【手続補正書】
【提出日】平成20年2月11日(2008.2.11)
【手続補正１】
【補正対象書類名】特許請求の範囲
【補正対象項目名】請求項１
【補正方法】変更
【補正の内容】
【請求項１】
第１のネットワーク（１５）において第１のユーザ端末（２１）と第２のユーザ端末（２２）との間にコネクションが確立されている際に、第２のネットワーク（１６）において該第１のユーザ端末（２１）から該第２のユーザ端末（２２）へコネクションを設定する方法であって、
前記第２のネットワークの複合サービスを識別するためのコンテキスト依存型の第２のネットワークアドレスを使用して、該第２のネットワークでの前記第コネクションを開始する工程と、
前記第２のユーザ端末（２２）の第２のネットワークアドレスを使用して前記第２のネットワークでの前記コネクションの設定を完了する工程と
を備え、
前記複合サービスは、前記第１のネットワーク（１５）と前記第２のネットワーク（１６）との双方からアクセス可能な共通部装置（１７）を使用して前記第２のユーザ端末（２２）の第２のネットワークアドレスを抽出する機能を備えたサービスであることを特徴とする方法。
【手続補正２】
【補正対象書類名】特許請求の範囲
【補正対象項目名】請求項９
【補正方法】変更
【補正の内容】
【請求項９】
第１のネットワーク（１５）において第１のユーザ端末（２１）と第２のユーザ端末（２２）との間にコネクションが確立されている際に、第２のネットワーク（１６）において該第１のユーザ端末（２１）から該第２のユーザ端末（２２）へコネクションを設定するように構成されたネットワーク装置であって、
前記ネットワーク装置は、前記第１のネットワーク（１５）と前記第２のネットワーク（１６）との双方からアクセス可能な共通部装置（１７）へ接続可能であり、
前記ネットワーク装置は、前記第１のユーザ端末（２１）からコンテキスト依存型の第２のネットワークアドレスを受信すると、前記第２のネットワークでの前記コネクションを開始するように構成されており、
前記コンテキスト依存型の第２のネットワークアドレスは、複合サービスを識別できるアドレスであり、
前記ネットワーク装置は、前記複合サービスを実行するように構成されており、
前記複合サービスは、前記共通部装置（１７）を使用して前記第２のユーザ端末（２２）の第２のネットワークアドレスを抽出するサービスであり、
前記ネットワーク装置は、該第２のユーザ端末（２２）の該第２のネットワークアドレスを使用して前記第２のネットワークでの前記コネクションの設定を完了するように構成されていることを特徴とするネットワーク装置。
【手続補正３】
【補正対象書類名】明細書
【補正対象項目名】０００７
【補正方法】変更
【補正の内容】
【０００７】
本発明によれば、上記プリアンブルとして記載した方法が提供される。本方法は、コンテキスト依存の第２のネットワークアドレスを使用して、第２のネットワークでの接続を開始する工程と、コンテキスト依存の第２のネットワークアドレスによって第２のネットワークの複合サービスを識別する工程と、複合サービスは、第１のネットワークと第２のネットワークの双方からアクセス可能な共通部装置を使用して第２の端末に割り当てられている第２のネットワークアドレスを読み出す工程と、第２の端末に割り当てられている第２のネットワークアドレスを使用して第２の接続の設定を完了する工程とを備える。コンテキスト依存の第２のネットワークアドレスは、第２のネットワークの複合サービスを識別し、第２の端末の直接アドレスでもないし間接アドレスでもない。第１のネットワークと第２のネットワークの共通部装置は、第１のネットワークでの接続に関連して第１のネットワークで使用された情報（しかし、１つ以上のユーザ端末に常に知られていたり見えたりしているわけではない）の、第２のネットワークとの共有を可能にする。例えば、ＣＳ呼がＣＳネットワークの２つのユーザ端末間に存在するとき、コンテキスト依存の第２のネットワークアドレスは、第２のネットワークにおいてＳＩＰ  ＩＮＶＩＴＥメッセージの一部として使用されてもよい。これは、第２のネットワークの複合サービスにトリガを与え、第２のネットワークで接続を設定するために必要なアドレスの読み出しを開始させる。
【手続補正４】
【補正対象書類名】明細書
【補正対象項目名】００１５
【補正方法】変更
【補正の内容】
【００１５】
別の態様では、本発明は、上記発明のプリアンブル部分に記載されたネットワーク装置に関する。この態様では、ネットワーク装置は、第１のネットワークと第２のネットワークとの双方がアクセス可能な共通部装置に接続可能であり、ネットワーク装置は、第１のユーザ端末からコンテキスト依存の第２のネットワークアドレスを受信時、第２のネットワークで接続を開始するように構成され、コンテキスト依存の第２のネットワークアドレスは、複合サービスを識別し、ネットワーク装置は複合サービスを実行するように構成されており、複合サービスは、共通部装置を使用して第２の端末に割り当てられている第２のネットワークアドレスを抽出し、前記ネットワーク装置は、第２の端末に割り当てられている第２のネットワークアドレスを使用した第２の接続を設定完了するよう構成されている。
【手続補正書】
【提出日】平成20年7月31日(2008.7.31)
【手続補正１】
【補正対象書類名】特許請求の範囲
【補正対象項目名】請求項１７
【補正方法】変更
【補正の内容】
【請求項１７】
第１のネットワーク（１５）において第１のユーザ端末（２１）と第２のユーザ端末（２２）との間に確立されているコネクションに関する情報を記憶するように構成され、該第１のネットワーク（１５）及び第２のネットワーク（１６）からアクセス可能な共通部装置であって、
前記共通部装置は、
前記複合サービスを要求するためのリクエストを受信すると、前記第２のネットワーク（１６）において前記第１のユーザ端末（２１）と前記第２のユーザ端末（２２）との間にコネクションを設定することを該複合サービスに可能ならしめるために、前記第２のユーザ端末に割り当てられている第２のネットワークアドレスを供給するように構成されている
ことを特徴とする共通部装置。
【国際調査報告】
2009518941.tif 000004
2009518941.tif 000005
2009518941.tif 000006